(57)【要約】リソース割当て方法およびデバイスが提供され、その方法は、端末サービスに必要とされる、アップリンクリソースおよびダウンリンクリソースを取得するステップであって、必要とされるアップリンクリソースおよびダウンリンクリソースのうち、より大きいものは拡大されるべきリソースであり、より小さいものは低減されるべきリソースである、ステップと、低減されるべきリソースの一部を拡大されるべきリソースに割り当てるステップと、リソース割当てメッセージを端末に伝送するステップであって、リソース割当てメッセージは、調整されるアップリンクリソースおよびダウンリンクリソースの情報を含み、その結果、端末は、サービスを、調整されるアップリンクリソースおよびダウンリンクリソースに従って伝送することができる、ステップとを含む。本発明の実施形態におけるリソース割当て方法およびデバイスは、端末に必要とされる帯域幅リソースを調整することができ、したがって、ワイヤレス通信システムにおいて必要とされるアップリンクリソースとダウンリンクリソースとの不均衡によって引き起こされる、リソースの浪費の問題を解決する。
2015534792.tif 000002
【特許請求の範囲】
【請求項１】
端末のサービスに必要とされる、アップリンクリソースおよびダウンリンクリソースを取得するステップであって、前記必要とされるアップリンクリソースおよび前記必要とされるダウンリソースにおいて、より大きいものは拡大されるべきリソースであり、より小さいものは低減されるべきリソースである、ステップと、
前記低減されるべきリソースの一部を前記拡大されるべきリソースに加えるステップと、
リソース構成メッセージにより、前記リソース構成メッセージを前記端末に配信するステップであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、ステップと
を含むことを特徴とするリソース割当て方法。
【請求項２】
前記低減されるべきリソースの一部を前記拡大されるべきリソースに加える前記ステップは、
前記低減されるべきリソースの周波数帯域リソースの一部を前記拡大されるべきリソースに加えるステップ、または
前記低減されるべきリソースのタイムスロットリソースの一部を前記拡大されるべきリソースに加えるステップ
を含むことを特徴とする請求項１に記載のリソース割当て方法。
【請求項３】
前記低減されるべきリソースの周波数帯域リソースの一部を前記拡大されるべきリソースに加える前記ステップは、
前記低減されるべきリソースの縁部に近接する周波数帯域リソースを前記拡大されるべきリソースに加えるステップ
を含むことを特徴とする請求項２に記載のリソース割当て方法。
【請求項４】
前記低減されるべきリソースの一部を前記拡大されるべきリソースに加える前記ステップは、
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加えるステップ
を含むことを特徴とする請求項１に記載のリソース割当て方法。
【請求項５】
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加える前記ステップは、
前記低減されるべきリソースと前記拡大されるべきリソースの両方が、Ｓであり、前記必要とされる低減されるべきリソースの、前記必要とされる拡大されるべきリソースに対する比率がＰ：ＱでありそのときＰ＜Ｑである場合、前記低減されるべきリソースにおける［（Ｑ−Ｐ）／（Ｑ＋Ｐ）］×Ｓを、前記拡大されるべきリソースに加えるステップ
を含むことを特徴とする請求項１に記載のリソース割当て方法。
【請求項６】
前記リソース構成メッセージを前記端末に配信する前記ステップは、
前記低減されるべきリソースがアップリンクリソースであり、前記拡大されるべきリソースがダウンリンクリソースである場合、前記アップリンクリソースの残りの部分に関して前記リソース構成メッセージを前記端末に送信するステップであって、前記アップリンクリソースの前記残りの部分は、前記ダウンリンクリソースに加えられる前記部分を除く、前記アップリンクリソースにおけるリソースである、ステップ
を含むことを特徴とする請求項１乃至５のいずれか一項に記載のリソース割当て方法。
【請求項７】
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信するステップであって、前記ダウンリンクリソースの前記残りの部分は、前記アップリンクリソースに加えられる前記部分を除く、前記ダウンリンクリソースにおけるリソースである、ステップ
をさらに含むことを特徴とする請求項１に記載のリソース割当て方法。
【請求項８】
端末のサービスに必要とされる、アップリンクリソースおよびダウンリンクリソースを取得するように構成された統計モジュールであって、前記必要とされるアップリンクリソースおよび前記必要とされるダウンリソースにおいて、より大きいものは拡大されるべきリソースであり、より小さいものは低減されるべきリソースである、統計モジュールと、
前記低減されるべきリソースの一部を前記拡大されるべきリソースに加えるように構成された割当てモジュールと、
リソース構成メッセージを前記端末に配信するように構成された配信モジュールであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、配信モジュールと
を含むことを特徴とするリソース割当て装置。
【請求項９】
前記割当てモジュールは具体的には、
前記低減されるべきリソースの周波数帯域リソースの一部を前記拡大されるべき帯域幅リソースに加える、または
前記低減されるべきリソースのタイムスロットリソースの一部を前記拡大されるべきリソースに加える
ように構成されることを特徴とする請求項８に記載のリソース割当て装置。
【請求項１０】
前記配信モジュールは具体的には、
前記低減されるべきリソースがアップリンクリソースであり、前記拡大されるべきリソースがダウンリンクリソースである場合、前記アップリンクリソースの残りの部分に関して前記リソース構成メッセージを前記端末に送信することであって、その結果、前記端末は、サービス伝送を、前記調整されるアップリンクリソースおよびダウンリンクリソースに従って実行し、前記アップリンクリソースの前記残りの部分は、前記ダウンリンクリソースに加えられる前記部分を除く、前記アップリンクリソースにおけるリソースである、送信することを行うように構成されることを特徴とする請求項８に記載のリソース割当て装置。
【請求項１１】
前記配信モジュールは、
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信することであって、前記ダウンリンクリソースの前記残りの部分は、前記アップリンクリソースに加えられる前記部分を除く、前記ダウンリンクリソースにおけるリソースである、配信することを行うようにさらに構成されることを特徴とする請求項８に記載のリソース割当て装置。
【請求項１２】
前記割当てモジュールは具体的には、
前記端末の前記サービスに必要とされる前記アップリンクリソースの、前記端末の前記サービスに必要とされる前記ダウンリンクリソースに対する比率に従って、前記低減されるべきリソースの帯域幅リソースの一部を前記拡大されるべきリソースに加えるように構成されることを特徴とする請求項８に記載のリソース割当て装置。
【発明の詳細な説明】
【技術分野】
【０００１】
本出願は、参照によりその全体が本明細書に組み込まれている、２０１２年１０月１２日に中国特許庁に出願された「ＲＥＳＯＵＲＣＥ  ＡＬＬＯＣＡＴＩＯＮ  ＭＥＴＨＯＤ  ＡＮＤ  ＡＰＰＡＲＡＴＵＳ」と題する中国特許出願第２０１２１０３８７１４２．９の優先権を主張するものである。
【０００２】
本発明は、ワイヤレス通信技術に関し、詳細には、リソース割当て方法および装置に関する。
【背景技術】
【０００３】
ＣＤＭＡ（符号分割多元接続、Ｃｏｄｅ  Ｄｉｖｉｓｉｏｎ  Ｍｕｌｔｉｐｌｅ  Ａｃｃｅｓｓ）、ＷＣＤＭＡ（登録商標）（広帯域符号分割多元接続、Ｗｉｄｅｂａｎｄ  Ｃｏｄｅ  Ｄｉｖｉｓｉｏｎ  Ｍｕｌｔｉｐｌｅｘ  Ａｃｃｅｓｓ）、ＦＤＤ  ＬＴＥ（周波数分割複信方式のロングタームエボリューション、Ｆｒｅｑｕｅｎｃｙ  Ｄｉｖｉｓｉｏｎ  Ｄｕｐｌｅｘｉｎｇ  Ｌｏｎｇ  Ｔｅｒｍ  Ｅｖｏｌｕｔｉｏｎ）などの従来のワイヤレス帯域通信システムでは、アップリンクリソースおよびダウンリンクリソースは対称かつ対等であり、また本明細書でリソースとは概して帯域幅を指す。
【０００４】
ワイヤレスモバイル通信システムの人気および応用に伴い、モバイルテレビやオンラインダウンロードなどの増大する非対称のサービスが、ワイヤレスモバイル通信システム上を伝送されることになる。これらの特別なネットワークでは、より多くのダウンリンクリソースが使用され、より少ないアップリンクリソースが使用される。リソースが対称であるワイヤレス通信システムが依然として使用されている場合、利用されていないアップリンクリソースまたはダウンリンクリソースの浪費が引き起こされることになる。
【発明の概要】
【課題を解決するための手段】
【０００５】
本発明は、従来技術における利用されていないアップリンクリソースまたはダウンリンクリソースの浪費という欠点を克服するために、リソース割当て方法および装置を提供する。
【０００６】
本発明の第１の態様は、リソース割当て方法を提供し、その方法は、
端末のサービスに必要とされる、アップリンクリソースおよびダウンリンクリソースを取得するステップであって、そこでは、必要とされるアップリンクリソースおよび必要とされるダウンリソースにおいて、より大きいものは拡大されるべきリソースであり、より小さいものは低減されるべきリソースである、ステップと、
低減されるべきリソースの一部を拡大されるべきリソースに加えるステップと、
リソース構成メッセージにより、リソース構成メッセージを端末に配信するステップであって、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、ステップと
を含む。
【０００７】
第１の態様による第１の可能な実装方法では、低減されるべきリソースの一部を拡大されるべきリソースに加えるステップは、
低減されるべきリソースの周波数帯域リソースの一部を拡大されるべきリソースに加えるステップ、または
低減されるべきリソースのタイムスロットリソースの一部を拡大されるべきリソースに加えるステップ
を含む。
【０００８】
第１の可能な実装方法に関連する第２の可能な実装方法では、低減されるべきリソースの周波数帯域リソースの一部を拡大されるべきリソースに加えるステップは、
低減されるべきリソースの縁部に近接する周波数帯域リソースを拡大されるべきリソースに加えるステップ
を含む。
【０００９】
第１の態様による第３の可能な実装方法では、低減されるべきリソースの一部を拡大されるべきリソースに加えるステップは、
端末のサービスに必要とされるアップリンクリソースの、端末のサービスに必要とされるダウンリンクリソースに対する比率に従って、低減されるべきリソースの一部を拡大されるべきリソースに加えるステップ
を含む。
【００１０】
第１の態様による第４の可能な実装方法では、端末のサービスに必要とされるアップリンクリソースの、端末のサービスに必要とされるダウンリンクリソースに対する比率に従って、低減されるべきリソースの一部を拡大されるべきリソースに加えるステップは、
低減されるべきリソースと拡大されるべきリソースの両方が、Ｓであり、必要とされる低減されるべきリソースの、必要とされる拡大されるべきリソースに対する比率がＰ：ＱでありそのときＰ＜Ｑである場合、低減されるべきリソースにおける［（Ｑ−Ｐ）／（Ｑ＋Ｐ）］×Ｓを、拡大されるべきリソースに加えるステップ
を含む。
【００１１】
第１の態様、または第１の可能な実装方法から第４の可能な実装方法に関連する、第５の可能な実装方法では、リソース構成メッセージを端末に配信するステップは、
低減されるべきリソースがアップリンクリソースであり、拡大されるべきリソースがダウンリンクリソースである場合、アップリンクリソースの残りの部分に関してリソース構成メッセージを端末に送信するステップであって、アップリンクリソースの残りの部分は、ダウンリンクリソースに加えられる部分を除く、アップリンクリソースにおけるリソースである、ステップ
を含む。
【００１２】
第１の態様による第６の可能な実装方法では、方法は、
低減されるべきリソースがダウンリンクリソースであり、拡大されるべきリソースがアップリンクリソースである場合、ダウンリンクリソースの残りの部分に関してアップリンクスケジューリング信号を端末に配信するステップであって、ダウンリンクリソースの残りの部分は、アップリンクリソースに加えられる部分を除く、ダウンリンクリソースにおけるリソースであるステップ
をさらに含む。
【００１３】
本発明の第２の態様は、リソース割当て装置を提供し、その装置は、
端末のサービスに必要とされる、アップリンクリソースおよびダウンリンクリソースを取得するように構成された統計モジュールであって、そこでは、必要とされるアップリンクリソースおよび必要とされるダウンリソースにおいて、より大きいものは拡大されるべきリソースであり、より小さいものは低減されるべきリソースである、統計モジュールと、
低減されるべきリソースの一部を拡大されるべきリソースに加えるように構成された割当てモジュールと、
リソース構成メッセージを端末に配信するように構成された配信モジュールであって、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、配信モジュールと
を含む。
【００１４】
第２の態様による第１の可能な実装方法では、割当てモジュールは具体的には、
低減されるべきリソースの周波数帯域リソースの一部を拡大されるべき帯域幅リソースに加える、または
低減されるべきリソースのタイムスロットリソースの一部を拡大されるべきリソースに加える
ように構成される。
【００１５】
第１の可能な実装方法に関連する、第２の可能な実装方法では、配信モジュールは具体的には、
低減されるべきリソースがアップリンクリソースであり、拡大されるべきリソースがダウンリンクリソースである場合、アップリンクリソースの残りの部分に関してリソース構成メッセージを端末に送信し、その結果、端末は、サービス伝送を、調整されるアップリンクリソースおよびダウンリンクリソースに従って実行し、アップリンクリソースの残りの部分は、ダウンリンクリソースに加えられる部分を除く、アップリンクリソースにおけるリソースであるように構成される。
【００１６】
第１の態様による第３の可能な実装方法では、配信モジュールは、
低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００１７】
第１の態様による第４の可能な実装方法では、割当てモジュールは具体的には、
端末のサービスに必要とされるアップリンクリソースの、端末のサービスに必要とされるダウンリンクリソースに対する比率に従って、低減されるべきリソースの帯域幅リソースの一部を拡大されるべきリソースに加えるように構成される。
【００１８】
本発明で提供されるリソース割当て方法および装置に従って、第１に、端末のサービスに必要とされる、アップリンクリソースおよびダウンリンクリソースが取得され、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決することが、前述の技術的な解決策から知られ得る。
【図面の簡単な説明】
【００１９】
本発明の実施形態における、または従来技術における技術的な解決策をより明確に説明するために、実施形態または従来技術の説明に必要な添付図面を以下に簡単に紹介する。以下に記載する添付図面は、本発明のいくつかの実施形態を示すにすぎず、当業者なら、創造的な努力をすることなく、添付図面から他の図面を得ることができるであろう。
【００２０】
【図１】本発明の一実施形態による、リソース割当て方法の概略流れ図である
【図２Ａ】本発明の別の実施形態による、ダウンリンク周波数帯域の２つの縁部の周波数帯域リソースをアップリンク周波数帯域として使用することの概略図である。
【図２Ｂ】本発明のさらに別の実施形態による、アップリンク周波数帯域の２つの縁部の周波数帯域リソースをダウンリンク周波数帯域として使用することの概略図である。
【図３Ａ】本発明のさらに別の実施形態による、ダウンリンク周波数帯域のダウンリンクタイムスロット帯域幅の一部をアップリンクタイムスロット帯域幅として使用することの概略図である。
【図３Ｂ】本発明のさらに別の実施形態による、アップリンク帯域幅のアップリンクタイムスロット帯域幅の一部をダウンリンクタイムスロット帯域幅として使用することの概略図である
【図４】本発明の別の実施形態による、リソース割当て装置の概略構造図である。
【発明を実施するための形態】
【００２１】
本発明の実施形態の目的、技術的な解決策、および利点をより明確にするため、以下は、本発明の実施形態における技術的な解決策について、本発明の実施形態の添付図面を参照して明確で十分に説明する。明らかであろうが、説明される実施形態は、本発明の実施形態の一部であってすべてではない。創造的な努力をすることなく、本発明の実施形態に基づいて、当業者によって得られる他のすべての実施形態は、本発明の保護範囲に入るものとする。
【００２２】
実施形態１
本実施形態は、リソース割当て方法を提供し、この方法は、ＣＤＭＡ、ＷＣＤＭＡ、ＦＤＤ  ＬＴＥなどのワイヤレス通信システムに適用でき、そこでは帯域幅リソースは対称である。第１に、基地局は、端末のサービスに必要とされる、アップリンクリソースおよびダウンリンクリソースを取得する。必要とされるアップリンクリソースが、必要とされるダウンリンクリソースを上回る場合、基地局は、ダウンリンクリソースの一部をアップリンクリソースとして再割当てし、または必要とされるダウンリンクリソースが、必要とされるアップリンクリソースを上回る場合、基地局は、アップリンクリソースの一部をダウンリンクリソースとして再割当てし、その結果、必要とされるアップリンク帯域幅リソースと必要とされるダウンリンク帯域幅リソースの非対称性による割当てを実行する目的を達成する。さらに、基地局は、調整されるリソースに関する情報を端末に送信し、その結果、端末は、サービス伝送を、調整されるリソースに従って実行する。
【００２３】
本実施形態では、ＦＤＤ  ＬＴＥの基地局が実行主体である例が説明のために使用される。
【００２４】
図１は、本実施形態によるリソース割当て方法の概略流れ図を示す。
【００２５】
ステップ１０１：端末のサービスに必要とされる、アップリンクリソースおよびダウンリンクリソースを取得し、必要とされるアップリンクリソースおよび必要とされるリソースにおいて、より大きいものは拡大されるべきリソースであり、より小さいものは低減されるべきリソースである。
【００２６】
任意選択で、アップリンクリソースは、アップリンク帯域幅リソースであってもよく、ダウンリンクリソースは、ダウンリンク帯域幅リソースであってもよい。
【００２７】
本実施形態では、基地局は、統計を通じて、端末のサービスに必要とされる、アップリンクリソースおよびダウンリンクリソースを取得することができる。端末のサービスに必要とされる、アップリンクリソースおよびダウンリンクリソースの統計は、予め設定された時間間隔の間の、端末のサービスに必要とされる、アップリンクリソースおよびダウンリンクリソースの統計であってもよい。例えば、１ヶ月間の、端末のサービスに必要とされる、アップリンク帯域幅リソースおよびダウンリンク帯域幅リソースの統計が収集され、アップリンク帯域幅リソースおよびダウンリンク帯域幅リソースが比較されてどの要件がより大きいかを判定する。もちろん、実際の用途において、基地局は、別のエンティティによって収集された統計を使用することによって、端末のサービスに必要とされる、アップリンクリソースおよびダウンリンクリソースをさらに取得することができる。
【００２８】
ステップ１０２：低減されるべきリソースの一部を拡大されるべきリソースに加える。
【００２９】
具体的には、端末のサービスに必要とされるアップリンクリソースが、端末のサービスに必要とされるダウンリンクリソースを上回る場合、拡大されるべきリソースはアップリンクリソースであり、低減されるべきリソースはダウンリンクリソースであり、端末のサービスに必要とされるダウンリンクリソースが、端末のサービスに必要とされるアップリンクリソースを上回る場合、拡大されるべきリソースはダウンリンクリソースであり、低減されるべきリソースはアップリンクリソースである。好ましくは、低減されるべきリソースの一部は、統計によって収集された、端末のサービスに必要とされるアップリンクリソースの、端末のサービスに必要とされるダウンリンクリソースに対する比率に従って、拡大されるべきリソースに加えられることができる。例えば、端末のサービスに必要とされるアップリンクリソースが、端末のサービスに必要とされるダウンリンクリソースを上回る場合、ダウンリンクリソースの一部は、統計によって収集された、端末のサービスに必要とされるアップリンクリソースの、端末のサービスに必要とされるダウンリンクリソースに対する比率に従って、アップリンクリソースとして再割当てされ、端末のサービスに必要とされるダウンリンクリソースが、端末のサービスに必要とされるアップリンクリソースを上回る場合、アップリンク帯域幅の一部は、統計によって収集された、端末のサービスに必要とされるアップリンクリソースの、端末のサービスに必要とされるダウンリンクリソースに対する比率に従って、ダウンリンクリソースとして再割当てされる。
【００３０】
処理されるべきサービスに必要とされるアップリンクリソースが、処理されるべきサービスに必要とされるダウンリンクリソースに等しいとき、現在のリソースは、アップリンクリソースもダウンリンクリソースも無駄にされていないので、調整される必要はないことが知られ得る。
【００３１】
ステップ１０３：リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００３２】
基地局は、対応するリソース構成メッセージを、調整されるアップリンクリソースおよびダウンリンクリソースに従って生成し、対応するリソース構成メッセージを端末に配信する。端末は、調整されるアップリンクリソースおよびダウンリンクリソースを、リソース構成メッセージに従って取得し、サービス伝送を、調整されるアップリンクリソースおよびダウンリンクリソースに従って実行する。
【００３３】
本実施形態のリソース割当て方法に従って、第１に、端末のサービスに必要とされる、アップリンクリソースおよびダウンリンクリソースの統計が収集され、必要とされるアップリンクリソースが、必要とされるダウンリンクリソースを上回るとき、ダウンリンクリソースの一部は、アップリンクリソースとして再割当てされ、または必要とされるダウンリンクリソースが、必要とされるアップリンクリソースを上回るとき、アップリンクリソースの一部は、ダウンリンクリソースとして再割当てされ、また調整されるリソースに関する情報は、端末に送信され、その結果、端末は、サービス伝送を、調整されるリソースに関する情報に従って実行し、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００３４】
実施形態２
本実施形態は、実施形態１に基づくリソース割当て方法を提供する。
【００３５】
ステップ２０１：端末のサービスに必要とされる、アップリンクリソースおよびダウンリンクリソースを取得し、そこでは、必要とされるアップリンクリソースおよび必要とされるダウンリソースにおいて、より大きいものは拡大されるべきリソースであり、より小さいものは低減されるべきリソースである。
【００３６】
任意選択で、アップリンクリソースは、アップリンク帯域幅リソースであってもよく、ダウンリンクリソースは、ダウンリンク帯域幅リソースであってもよい。
【００３７】
このステップの具体的な内容は、ステップ１０１のそれと同じであり、ここで再び説明されることはない。
【００３８】
ステップ２０２：端末のサービスに必要とされるアップリンクリソースの、端末のサービスに必要とされるダウンリンクリソースに対する比率に従って、低減されるべきリソースの一部を拡大されるべきリソースに加える。
【００３９】
割当ての前、低減されるべきリソースと拡大されるべきリソースの両方は、Ｓである。必要とされる低減されるべきリソースの、必要とされる拡大されるべきリソースに対する比率がＰ：ＱであってＰ＜Ｑであるとき、低減されるべきリソースにおける［（Ｑ−Ｐ）／（Ｑ＋Ｐ）］×Ｓが、拡大されるべきリソースに加えられる。
【００４０】
例えば、アップリンク帯域幅リソースが５Ｍであり、ダウンリンク帯域幅リソースが５Ｍであり、必要とされるアップリンク帯域幅リソースの、必要とされるダウンリンク帯域幅リソースに対する比率が２：３であるとき、アップリンク帯域幅リソースの１Ｍ帯域幅リソースは、ダウンリンク帯域幅リソースとして再割当てされることができ、またこのように、調整されるアップリンク帯域幅リソースの、調整されるダウンリンク帯域幅リソースに対する比率は、２：３である。
【００４１】
低減されるべきリソースの帯域幅リソースの一部を拡大されるべきリソースに加えることは具体的には、
低減されるべきリソースの周波数帯域リソースの一部を拡大されるべきリソースに加えること、または
低減されるべきリソースのタイムスロットリソースの一部を拡大されるべきリソースに加えること
を含む。
【００４２】
周波数帯域は、信号が伝送され得る最高周波数から、信号が伝送され得る最低周波数までの周波数範囲であり、また周波数帯域は、複数の周波数スペクトルを含んでもよい。好ましくは、低減されるべき帯域幅の縁部の周波数帯域リソースが、拡大されるべきリソースに加えられる。理由は、従来のワイヤレス通信システムでは、受信機／送信機によって受信または送信される周波数帯域は、中心周波数および帯域幅を使用することによって判定されるからである。低減されるべき帯域幅の中心周波数帯域リソースが、拡大されるべき帯域幅リソースに加えられる場合、元の低減されるべき帯域幅リソースが、２つのセグメントに分けられることがあり、この場合、２つの受信機／伝送機が必要とされる。しかし、低減されるべき帯域幅の縁部に近接する周波数帯域リソースが、拡大されるべきリソースに加えられる場合、そうした問題は回避される。低減されるべき帯域幅リソースの縁部に近接する１つの周波数スペクトルは、拡大されるべきリソースに加えられることができ、または２つの周波数スペクトルは、再割当てされることができ、また周波数スペクトルの数は、実際のニーズに従って設定され得ることに留意されたい。
【００４３】
基地局が、端末のサービスに必要とされるアップリンクリソースが、端末のサービスに必要とされるダウンリンクリソースを上回ると判定するとき、元はダウンリンクリソースとして使用されたダウンリンク周波数帯域リソースの一部が、アップリンクリソースとして再割当てされ、そこでは、ダウンリンク周波数帯域リソースの一部は、第２のアップリンクリソースと呼ばれ、元のアップリンク周波数帯域リソースは、第１のアップリンク周波数帯域リソースとして使用される。図２Ａは、ダウンリンク周波数帯域リソースの２つの縁部に近接する周波数帯域リソースをアップリンク周波数帯域として使用することの概略図を示す。
【００４４】
同様に、基地局が、処理されるべきサービスに必要とされるダウンリンク帯域幅リソースが、処理されるべきサービスに必要とされるアップリンク帯域幅リソースを上回ると判定するとき、アップリンク帯域幅リソースのアップリンク周波数帯域リソースの一部が、ダウンリンク帯域幅リソースとして再割当てされ、そこでは、ダウンリンク周波数帯域リソースの一部は、第２のダウンリンク帯域幅リソースと呼ばれ、元のダウンリンク周波数帯域は、第１のダウンリンク周波数帯域である。図２Ｂは、アップリンク周波数帯域の２つの縁部に近接する周波数帯域リソースをダウンリンク周波数帯域として再割当てし、使用することの概略図を示す。タイムスロットリソースは、実際に物理層で占有される周波数リソースを表現したものである。第１に、帯域幅全体が、様々な周波数帯域に区分され、次いで、様々なタイムスロットリソースが、同じ周波数帯域上でユーザに割り当てられ、各ユーザによって占有されるタイムスロットリソースはチャネルである。
【００４５】
基地局が、必要とされるアップリンク帯域幅リソースが、必要とされるダウンリンク帯域幅リソースを上回ると判定するとき、元はダウンリンク帯域幅リソースとして使用されたダウンリンクタイムスロットリソースの一部が、アップリンクタイムスロットリソースとして使用され、そこでは、ダウンリンクタイムスロットリソースの一部が、第２のアップリンク帯域幅リソースと呼ばれ、元のアップリンク帯域幅リソースは、第１のアップリンク帯域幅リソースとして使用される。図３Ａは、ダウンリンク周波数帯域のダウンリンクタイムスロットリソースの一部をアップリンクタイムスロットリソースとして使用することの概略図を示す。同様に、基地局が、必要とされるダウンリンク帯域幅リソースが、必要とされるアップリンク帯域幅リソースを上回ると判定するとき、元はアップリンク帯域幅リソースとして使用されたアップリンクタイムスロットリソースの一部が、ダウンリンクタイムスロット帯域幅リソースとして使用され、アップリンクタイムスロットリソースの一部が、第２のダウンリンク帯域幅リソースと呼ばれ、元のダウンリンク帯域幅リソースは、第１のダウンリンク帯域幅リソースと呼ばれる。図３Ｂは、アップリンク帯域幅リソースのアップリンクタイムスロットリソースの一部をダウンリンクタイムスロットリソースとして使用することの概略図を示す。
【００４６】
ステップ２０３：リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００４７】
基地局は、ブロードキャストメッセージを使用することによって、端末にリソース構成メッセージを通知することができ、リソース構成メッセージは具体的には、第１のアップリンク周波数帯域または第１のダウンリンク周波数帯域の帯域幅、第１の周波数帯域の中心周波数、対応する第２のアップリンク周波数帯域または第２のダウンリンク周波数帯域の帯域幅、および第２の周波数帯域の中心周波数を含むことができる。
【００４８】
必要とされるアップリンク帯域幅リソースが、必要とされるダウンリンク帯域幅リソースを上回る場合、基地局は、ダウンリンク周波数帯域のＰＤＣＣＨ（物理ダウンリンク制御チャネル、Ｐｈｙｓｉｃａｌ  Ｄｏｗｎｌｉｎｋ  Ｃｏｎｔｒｏｌ  Ｃｈａｎｎｅｌ）を通じて、端末向けのリソース構成メッセージを端末に送信する。リソース構成メッセージを受信した後、端末は、第１のアップリンク帯域幅のみを使用することによって、アップリンク制御信号を基地局に送信する。基地局は、ダウンリンク周波数帯域を使用することによって、リソース構成メッセージを送信し、またアップリンクスケジューリング情報は、ＲＢ（リソースブロック、無線リソースブロック）の数、ＲＢ位置、ＭＣＳ（変調符号化方式、Ｍｏｄｕｌａｔｉｏｎ  ａｎｄ  Ｃｏｄｉｎｇ  Ｓｃｈｅｍｅ）順序、およびアップリンク周波数帯域情報を含む。端末は、アップリンクスケジューリング情報に従って、データ伝送を、指定された周波数帯域上で、指定されたＲＢ位置で、また指定されたＭＣＳ順序で実行する。必要とされるダウンリンク帯域幅リソースが、必要とされるアップリンク帯域幅リソースを上回る場合、基地局は、第１のダウンリンク周波数帯域上で、リソース構成メッセージを端末に送信し、また基地局は、第１のダウンリンク周波数帯域のみを使用することによって、アップリンクスケジューリング情報を配信し、アップリンクスケジューリング情報は、ＲＢ（ワイヤレスリソースブロック、リソースブロック）の数、ＲＢ位置、ＭＣＳ（ワイヤレスリソースブロック、リソースブロック）順序、およびアップリンク周波数帯域情報を含む。基地局がデータサービスをスケジュール設定するとき、制御信号は、第１のダウンリンク周波数帯域のＰＤＤＣＨを通じて、配信されることができ、または第２のダウンリンク周波数帯域のＰＤＤＣＨを通じて、配信されることができる。
【００４９】
本実施形態のリソース割当て方法に従って、必要とされるアップリンクリソースが、必要とされるダウンリンクリソースを上回るとき、ダウンリンクリソースの周波数帯域リソースの一部は、アップリンクリソースとして再割当てされ、または必要とされるダウンリンクリソースが、必要とされるアップリンクリソースを上回るとき、アップリンク帯域幅の周波数帯域リソースの一部は、ダウンリンクリソースとして再割当てされ、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００５０】
実施形態３
本実施形態は、リソース割当て装置を提供し、それは、実施形態１におけるリソース割当て方法を実施するように構成されている。装置が適用できるネットワークアーキテクチャは、前述の実施形態におけるそれと同じであり、ここで再び説明されることはない。リソース割当て装置は、基地局に統合されてもよい。
【００５１】
図４は、本実施形態におけるリソース割当て装置の概略構造図を示す。リソース割当て装置は、統計モジュール３０１、割当てモジュール３０２、および配信モジュール３０３を含む。
【００５２】
統計モジュール３０１は、端末のサービスに必要とされる、アップリンクリソースおよびダウンリンクリソースを取得し、そこでは、必要とされるアップリンクリソースおよび必要とされるダウンリソースにおいて、より大きいものは拡大されるべきリソースであり、より小さいものは低減されるべきリソースであるように構成され、割当てモジュール３０２は、統計モジュール３０１に接続されており、低減されるべきリソースの一部を拡大されるべきリソースに加えるように構成され、また配信モジュール３０３は、割当てモジュール３０２に接続されており、リソース構成メッセージを端末に配信することであって、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、配信することを行うように構成される。
【００５３】
本実施形態におけるリソース割当て装置の動作方法は、実施形態１におけるそれと一致しており、ここで再び説明されることはない。
【００５４】
本実施形態のリソース割当て装置に従って、第１に、統計モジュール３０１が、端末のサービスに必要とされる、アップリンクリソースおよびダウンリンクリソースを取得し、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決する。
【００５５】
実施形態４
本実施形態は、実施形態３に基づくリソース割当て装置を提供する。
【００５６】
本実施形態におけるリソース割当て装置の構造は、前述の実施形態におけるそれと同じであり、また統計モジュール３０１、割当てモジュール３０２、および配信モジュール３０３も含む。
【００５７】
本実施形態の割当てモジュール３０２は具体的には、端末のサービスに必要とされるアップリンクリソースの、端末のサービスに必要とされるダウンリンクリソースに対する取得される比率に従って、低減されるべきリソースの一部を拡大されるべきリソースに加えるように構成される。より具体的には、割当てモジュール３０２は、低減されるべきリソースの周波数帯域リソースの一部を拡大されるべき帯域幅リソースに加える、または低減されるべきリソースのタイムスロットリソースの一部を拡大されるべきリソースに加えるように構成される。割当てモジュール３０２が、低減されるべきリソースの周波数帯域リソースの一部を拡大されるべきリソースに加えるように構成されるとき、割当てモジュール３０２は具体的には、低減されるべきリソースの縁部に近接する周波数帯域リソースを拡大されるべきリソースに加えるように構成される。理由は前述の実施形態におけるそれと同じであり、ここで再び説明されることはない。
【００５８】
任意選択で、配信モジュール３０３は具体的には、低減されるべき帯域幅がアップリンクリソースであり、拡大されるべきリソースがダウンリンクリソースである場合、アップリンクリソースの残りの部分に関してリソース構成メッセージを端末に送信し、その結果、端末は、サービス伝送を、調整されるアップリンクリソースおよびダウンリンクリソースに従って実行し、アップリンクリソースの残りの部分は、ダウンリンクリソースに加えられる部分を除く、アップリンクリソースにおけるリソースであるように構成される。配信モジュール３０３は、低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００５９】
本実施形態のリソース割当て装置に従って、必要とされるアップリンクリソースが、必要とされるダウンリンクリソースを上回るとき、ダウンリンクリソースの周波数帯域リソースの一部は、アップリンクリソースとして再割当てされ、または必要とされるダウンリンクリソースが、必要とされるアップリンクリソースを上回るとき、アップリンク帯域幅の周波数帯域リソースの一部は、ダウンリンクリソースとして再割当てされ、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００６０】
実施形態５
本実施形態は、基地局を提供し、そこでは、基地局は、前述の実施形態のいずれか１つのリソース割当て装置を含む。
【００６１】
本実施形態の基地局は、少なくとも１つのプロセッサおよびメモリを含み、そこでは、メモリは、実行可能なプログラムコードを格納するように構成され、プロセッサは、メモリに格納された実行可能なプログラムコードを読み込むことによって、実行可能なプログラムコードに対応するプログラムを走らせ、その結果、
端末のサービスに必要とされる、アップリンクリソースおよびダウンリンクリソースを取得し、そこでは、必要とされるアップリンクリソースおよび必要とされるダウンリソースにおいて、より大きいものは拡大されるべきリソースであり、より小さいものは低減されるべきリソースであり、
低減されるべきリソースの一部を拡大されるべきリソースに加え、また
リソース構成メッセージによって、リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００６２】
低減されるべきリソースの一部を拡大されるべきリソースに加えることは具体的には、
低減されるべきリソースの周波数帯域リソースの一部を拡大されるべきリソースに加えること、または
低減されるべきリソースのタイムスロットリソースの一部を拡大されるべきリソースに加えること
であり得る。
【００６３】
任意選択で、プロセッサが、低減されるべきリソースの周波数帯域リソースの一部を拡大されるべきリソースに加えるという動作を実施するとき、低減されるべきリソースの縁部に近接する周波数帯域リソースは、拡大されるべきリソースに加えられることができる。
【００６４】
任意選択で、本実施形態のプロセッサが、低減されるべきリソースの一部を拡大されるべきリソースに加えるという動作を実施するとき、プロセッサは具体的には、端末のサービスに必要とされるアップリンクリソースの、端末のサービスに必要とされるダウンリンクリソースに対する比率に従って、低減されるべきリソースの一部を拡大されるべきリソースに加えるように構成される。詳細は、次のとおりであり得る。低減されるべきリソースと拡大されるべきリソースの両方が、Ｓであり、必要とされる低減されるべきリソースの、必要とされる拡大されるべきリソースに対する比率がＰ：ＱでありそのときＰ＜Ｑである場合、低減されるべきリソースにおける［（Ｑ−Ｐ）／（Ｑ＋Ｐ）］×Ｓが、拡大されるべきリソースに加えられる。
【００６５】
任意選択で、プロセッサによって実施される、リソース構成メッセージを端末に配信するという動作は具体的には、低減されるべきリソースがアップリンクリソースであり、拡大されるべきリソースがダウンリンクリソースである場合、アップリンクリソースの残りの部分に関してリソース構成メッセージを端末に送信し、アップリンクリソースの残りの部分は、ダウンリンクリソースに加えられる部分を除く、アップリンクリソースにおけるリソースであることを含み得る。
【００６６】
任意選択で、本実施形態のプロセッサは、
低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００６７】
本実施形態の基地局に従って、第１に、端末のサービスに必要とされる、アップリンクリソースおよびダウンリンクリソースが取得され、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決する。
【００６８】
方法の実施形態のステップのすべてまたは一部は、関連するハードウェアに命令するプログラムよって実装され得ることを当業者なら理解するであろう。プログラムは、コンピュータ可読記憶媒体に格納されることができる。プログラムが走るとき、方法の実施形態のステップが実行される。前述の記憶媒体は、ＲＯＭ、ＲＡＭ、磁気ディスク、光ディスクなどのプログラムコードを格納することができる任意の媒体を含む。
【００６９】
最後に、前述の実施形態は、単に本発明の技術的な解決策を説明するためのものであり、本発明を限定するためのものではないことに留意されたい。本発明は前述の実施形態を参照しながら詳述されているが、依然として、本発明の実施形態の技術的な解決策の範囲から逸脱することなく、前述の実施形態で説明された技術的な解決策に修正を加える、またはそれらの技術的な機能のいくつかに同等な置換えを加えることができることを当業者なら理解するであろう。
【図１】
2015534792.tif 000003
【図２Ａ】
2015534792.tif 000004
【図２Ｂ】
2015534792.tif 000005
【図３Ａ】
2015534792.tif 000006
【図３Ｂ】
2015534792.tif 000007
【図４】
2015534792.tif 000008
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
端末のサービスに必要とされる、アップリンクリソースおよびダウンリンクリソースを取得するステップであって、前記必要とされるアップリンクリソースおよび前記必要とされるダウンリソースにおいて、より大きいものは拡大されるべきリソースであり、より小さいものは低減されるべきリソースである、ステップと、
前記低減されるべきリソースの一部を前記拡大されるべきリソースに加えるステップと、
リソース構成メッセージを前記端末に配信するステップであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、ステップと
を含むことを特徴とするリソース割当て方法。
【請求項２】
前記低減されるべきリソースの一部を前記拡大されるべきリソースに加える前記ステップは、
前記低減されるべきリソースの周波数帯域リソースの一部を前記拡大されるべきリソースに加えるステップ、または
前記低減されるべきリソースのタイムスロットリソースの一部を前記拡大されるべきリソースに加えるステップ
を含むことを特徴とする請求項１に記載のリソース割当て方法。
【請求項３】
前記低減されるべきリソースの周波数帯域リソースの一部を前記拡大されるべきリソースに加える前記ステップは、
前記低減されるべきリソースの縁部に近接する周波数帯域リソースを前記拡大されるべきリソースに加えるステップ
を含むことを特徴とする請求項２に記載のリソース割当て方法。
【請求項４】
前記低減されるべきリソースの一部を前記拡大されるべきリソースに加える前記ステップは、
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加えるステップ
を含むことを特徴とする請求項１に記載のリソース割当て方法。
【請求項５】
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加える前記ステップは、
前記低減されるべきリソースと前記拡大されるべきリソースの両方が、Ｓであり、前記必要とされる低減されるべきリソースの、前記必要とされる拡大されるべきリソースに対する比率がＰ：ＱでありそのときＰ＜Ｑである場合、前記低減されるべきリソースにおける［（Ｑ−Ｐ）／（Ｑ＋Ｐ）］×Ｓを、前記拡大されるべきリソースに加えるステップ
を含むことを特徴とする請求項１に記載のリソース割当て方法。
【請求項６】
前記リソース構成メッセージを前記端末に配信する前記ステップは、
前記低減されるべきリソースがアップリンクリソースであり、前記拡大されるべきリソースがダウンリンクリソースである場合、前記アップリンクリソースの残りの部分に関して前記リソース構成メッセージを前記端末に送信するステップであって、前記アップリンクリソースの前記残りの部分は、前記ダウンリンクリソースに加えられる前記部分を除く、前記アップリンクリソースにおけるリソースである、ステップ
を含むことを特徴とする請求項１乃至５のいずれか一項に記載のリソース割当て方法。
【請求項７】
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信するステップであって、前記ダウンリンクリソースの前記残りの部分は、前記アップリンクリソースに加えられる前記部分を除く、前記ダウンリンクリソースにおけるリソースである、ステップ
をさらに含むことを特徴とする請求項１に記載のリソース割当て方法。
【請求項８】
端末のサービスに必要とされる、アップリンクリソースおよびダウンリンクリソースを取得するように構成された統計モジュールであって、前記必要とされるアップリンクリソースおよび前記必要とされるダウンリソースにおいて、より大きいものは拡大されるべきリソースであり、より小さいものは低減されるべきリソースである、統計モジュールと、
前記低減されるべきリソースの一部を前記拡大されるべきリソースに加えるように構成された割当てモジュールと、
リソース構成メッセージを前記端末に配信するように構成された配信モジュールであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、配信モジュールと
を含むことを特徴とするリソース割当て装置。
【請求項９】
前記割当てモジュールは具体的には、
前記低減されるべきリソースの周波数帯域リソースの一部を前記拡大されるべき帯域幅リソースに加える、または
前記低減されるべきリソースのタイムスロットリソースの一部を前記拡大されるべきリソースに加える
ように構成されることを特徴とする請求項８に記載のリソース割当て装置。
【請求項１０】
前記配信モジュールは具体的には、
前記低減されるべきリソースがアップリンクリソースであり、前記拡大されるべきリソースがダウンリンクリソースである場合、前記アップリンクリソースの残りの部分に関して前記リソース構成メッセージを前記端末に送信することであって、その結果、前記端末は、サービス伝送を、前記調整されるアップリンクリソースおよびダウンリンクリソースに従って実行し、前記アップリンクリソースの前記残りの部分は、前記ダウンリンクリソースに加えられる前記部分を除く、前記アップリンクリソースにおけるリソースである、送信することを行うように構成されることを特徴とする請求項８に記載のリソース割当て装置。
【請求項１１】
前記配信モジュールは、
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信することであって、前記ダウンリンクリソースの前記残りの部分は、前記アップリンクリソースに加えられる前記部分を除く、前記ダウンリンクリソースにおけるリソースである、配信することを行うようにさらに構成されることを特徴とする請求項８に記載のリソース割当て装置。
【請求項１２】
前記割当てモジュールは具体的には、
前記端末の前記サービスに必要とされる前記アップリンクリソースの、前記端末の前記サービスに必要とされる前記ダウンリンクリソースに対する比率に従って、前記低減されるべきリソースの帯域幅リソースの一部を前記拡大されるべきリソースに加えるように構成されることを特徴とする請求項８に記載のリソース割当て装置。
【手続補正書】
【提出日】平成27年8月7日(2015.8.7)
【手続補正１】
【補正対象書類名】明細書
【補正対象項目名】全文
【補正方法】変更
【補正の内容】
【発明の詳細な説明】
【技術分野】
【０００１】
本出願は、参照によりその全体が本明細書に組み込まれている、２０１２年１０月１２日に中国特許庁に出願された「ＲＥＳＯＵＲＣＥ  ＡＬＬＯＣＡＴＩＯＮ  ＭＥＴＨＯＤ  ＡＮＤ  ＡＰＰＡＲＡＴＵＳ」と題する中国特許出願第２０１２１０３８７１４２．９の優先権を主張するものである。
【０００２】
本発明は、ワイヤレス通信技術に関し、詳細には、リソース割当て方法および装置に関する。
【背景技術】
【０００３】
ＣＤＭＡ（符号分割多元接続、Ｃｏｄｅ  Ｄｉｖｉｓｉｏｎ  Ｍｕｌｔｉｐｌｅ  Ａｃｃｅｓｓ）、ＷＣＤＭＡ（登録商標）（広帯域符号分割多元接続、Ｗｉｄｅｂａｎｄ  Ｃｏｄｅ  Ｄｉｖｉｓｉｏｎ  Ｍｕｌｔｉｐｌｅｘ  Ａｃｃｅｓｓ）、ＦＤＤ  ＬＴＥ（周波数分割複信方式のロングタームエボリューション、Ｆｒｅｑｕｅｎｃｙ  Ｄｉｖｉｓｉｏｎ  Ｄｕｐｌｅｘｉｎｇ  Ｌｏｎｇ  Ｔｅｒｍ  Ｅｖｏｌｕｔｉｏｎ）などの従来のワイヤレス帯域通信システムでは、アップリンクリソースおよびダウンリンクリソースは対称かつ対等であり、また本明細書でリソースとは概して帯域幅を指す。
【０００４】
ワイヤレスモバイル通信システムの人気および応用に伴い、モバイルテレビやオンラインダウンロードなどの増大する非対称のサービスが、ワイヤレスモバイル通信システム上を伝送されることになる。これらの特別なネットワークでは、より多くのダウンリンクリソースが使用され、より少ないアップリンクリソースが使用される。リソースが対称であるワイヤレス通信システムが依然として使用されている場合、利用されていないアップリンクリソースまたはダウンリンクリソースの浪費が引き起こされることになる。
【発明の概要】
【課題を解決するための手段】
【０００５】
本発明は、従来技術における利用されていないアップリンクリソースまたはダウンリンクリソースの浪費という欠点を克服するために、リソース割当て方法および装置を提供する。
【０００６】
本発明の第１の態様は、リソース割当て方法を提供し、その方法は、
端末のサービスに必要とされる、アップリンクリソースおよびダウンリンクリソースを取得するステップであって、そこでは、必要とされるアップリンクリソースおよび必要とされるダウンリンクリソースにおいて、より大きいものは拡大されるべきリソースであり、より小さいものは低減されるべきリソースである、ステップと、
低減されるべきリソースの一部を拡大されるべきリソースに加えるステップと、
リソース構成メッセージを端末に配信するステップであって、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、ステップとを含む。
【０００７】
第１の態様による第１の可能な実装方法では、低減されるべきリソースの一部を拡大されるべきリソースに加えるステップは、
低減されるべきリソースの周波数帯域リソースの一部を拡大されるべきリソースに加えるステップ、または
低減されるべきリソースのタイムスロットリソースの一部を拡大されるべきリソースに加えるステップを含む。
【０００８】
第１の可能な実装方法に関連する第２の可能な実装方法では、低減されるべきリソースの周波数帯域リソースの一部を拡大されるべきリソースに加えるステップは、
低減されるべきリソースの縁部に近接する周波数帯域リソースを拡大されるべきリソースに加えるステップを含む。
【０００９】
第１の態様による第３の可能な実装方法では、低減されるべきリソースの一部を拡大されるべきリソースに加えるステップは、
端末のサービスに必要とされるアップリンクリソースの、端末のサービスに必要とされるダウンリンクリソースに対する比率に従って、低減されるべきリソースの一部を拡大されるべきリソースに加えるステップを含む。
【００１０】
第１の態様による第４の可能な実装方法では、端末のサービスに必要とされるアップリンクリソースの、端末のサービスに必要とされるダウンリンクリソースに対する比率に従って、低減されるべきリソースの一部を拡大されるべきリソースに加えるステップは、
低減されるべきリソースと拡大されるべきリソースの両方が、Ｓであり、必要とされる低減されるべきリソースの、必要とされる拡大されるべきリソースに対する比率がＰ：ＱでありそのときＰ＜Ｑである場合、低減されるべきリソースにおける［（Ｑ−Ｐ）／（Ｑ＋Ｐ）］×Ｓを、拡大されるべきリソースに加えるステップを含む。
【００１１】
第１の態様、または第１の可能な実装方法から第４の可能な実装方法に関連する、第５の可能な実装方法では、リソース構成メッセージを端末に配信するステップは、
低減されるべきリソースがアップリンクリソースであり、拡大されるべきリソースがダウンリンクリソースである場合、アップリンクリソースの残りの部分に関してリソース構成メッセージを端末に送信するステップであって、アップリンクリソースの残りの部分は、ダウンリンクリソースに加えられる部分を除く、アップリンクリソースにおけるリソースである、ステップを含む。
【００１２】
第１の態様による第６の可能な実装方法では、方法は、
低減されるべきリソースがダウンリンクリソースであり、拡大されるべきリソースがアップリンクリソースである場合、ダウンリンクリソースの残りの部分に関してアップリンクスケジューリング信号を端末に配信するステップであって、ダウンリンクリソースの残りの部分は、アップリンクリソースに加えられる部分を除く、ダウンリンクリソースにおけるリソースであるステップをさらに含む。
【００１３】
本発明の第２の態様は、リソース割当て装置を提供し、その装置は、
端末のサービスに必要とされる、アップリンクリソースおよびダウンリンクリソースを取得するように構成された統計モジュールであって、そこでは、必要とされるアップリンクリソースおよび必要とされるダウンリンクリソースにおいて、より大きいものは拡大されるべきリソースであり、より小さいものは低減されるべきリソースである、統計モジュールと、
低減されるべきリソースの一部を拡大されるべきリソースに加えるように構成された割当てモジュールと、
リソース構成メッセージを端末に配信するように構成された配信モジュールであって、
リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、配信モジュールとを含む。
【００１４】
第２の態様による第１の可能な実装方法では、割当てモジュールは具体的には、
低減されるべきリソースの周波数帯域リソースの一部を拡大されるべき帯域幅リソースに加える、または
低減されるべきリソースのタイムスロットリソースの一部を拡大されるべきリソースに加えるように構成される。
【００１５】
第１の可能な実装方法に関連する、第２の可能な実装方法では、配信モジュールは具体的には、
低減されるべきリソースがアップリンクリソースであり、拡大されるべきリソースがダウンリンクリソースである場合、アップリンクリソースの残りの部分に関してリソース構成メッセージを端末に送信し、その結果、端末は、サービス伝送を、調整されるアップリンクリソースおよびダウンリンクリソースに従って実行し、アップリンクリソースの残りの部分は、ダウンリンクリソースに加えられる部分を除く、アップリンクリソースにおけるリソースであるように構成される。
【００１６】
第１の態様による第３の可能な実装方法では、配信モジュールは、
低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００１７】
第１の態様による第４の可能な実装方法では、割当てモジュールは具体的には、
端末のサービスに必要とされるアップリンクリソースの、端末のサービスに必要とされるダウンリンクリソースに対する比率に従って、低減されるべきリソースの帯域幅リソースの一部を拡大されるべきリソースに加えるように構成される。
【００１８】
本発明で提供されるリソース割当て方法および装置に従って、第１に、端末のサービスに必要とされる、アップリンクリソースおよびダウンリンクリソースが取得され、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決することが、前述の技術的な解決策から知られ得る。
【図面の簡単な説明】
【００１９】
本発明の実施形態における、または従来技術における技術的な解決策をより明確に説明するために、実施形態または従来技術の説明に必要な添付図面を以下に簡単に紹介する。
以下に記載する添付図面は、本発明のいくつかの実施形態を示すにすぎず、当業者なら、創造的な努力をすることなく、添付図面から他の図面を得ることができるであろう。
【００２０】
【図１】本発明の一実施形態による、リソース割当て方法の概略流れ図である
【図２Ａ】本発明の別の実施形態による、ダウンリンク周波数帯域の２つの縁部の周波数帯域リソースをアップリンク周波数帯域として使用することの概略図である。
【図２Ｂ】本発明のさらに別の実施形態による、アップリンク周波数帯域の２つの縁部の周波数帯域リソースをダウンリンク周波数帯域として使用することの概略図である。
【図３Ａ】本発明のさらに別の実施形態による、アップリンク周波数帯域のアップリンクタイムスロット帯域幅の一部をダウンリンクタイムスロット帯域幅として使用することの概略図である。
【図３Ｂ】本発明のさらに別の実施形態による、ダウンリンク帯域幅のダウンリンクタイムスロット帯域幅の一部をアップリンクタイムスロット帯域幅として使用することの概略図である
【図４】本発明の別の実施形態による、リソース割当て装置の概略構造図である。
【発明を実施するための形態】
【００２１】
本発明の実施形態の目的、技術的な解決策、および利点をより明確にするため、以下は、本発明の実施形態における技術的な解決策について、本発明の実施形態の添付図面を参照して明確で十分に説明する。明らかであろうが、説明される実施形態は、本発明の実施形態の一部であってすべてではない。創造的な努力をすることなく、本発明の実施形態に基づいて、当業者によって得られる他のすべての実施形態は、本発明の保護範囲に入るものとする。
【００２２】
実施形態１
本実施形態は、リソース割当て方法を提供し、この方法は、ＣＤＭＡ、ＷＣＤＭＡ、ＦＤＤ  ＬＴＥなどのワイヤレス通信システムに適用でき、そこでは帯域幅リソースは対称である。第１に、基地局は、端末のサービスに必要とされる、アップリンクリソースおよびダウンリンクリソースを取得する。必要とされるアップリンクリソースが、必要とされるダウンリンクリソースを上回る場合、基地局は、ダウンリンクリソースの一部をアップリンクリソースとして再割当てし、または必要とされるダウンリンクリソースが、必要とされるアップリンクリソースを上回る場合、基地局は、アップリンクリソースの一部をダウンリンクリソースとして再割当てし、その結果、必要とされるアップリンク帯域幅リソースと必要とされるダウンリンク帯域幅リソースの非対称性による割当てを実行する目的を達成する。さらに、基地局は、調整されるリソースに関する情報を端末に送信し、その結果、端末は、サービス伝送を、調整されるリソースに従って実行する。
【００２３】
本実施形態では、ＦＤＤ  ＬＴＥの基地局が実行主体である例が説明のために使用される。
【００２４】
図１は、本実施形態によるリソース割当て方法の概略流れ図を示す。
【００２５】
ステップ１０１：端末のサービスに必要とされる、アップリンクリソースおよびダウンリンクリソースを取得し、必要とされるアップリンクリソースおよび必要とされるダウンリンクリソースにおいて、より大きいものは拡大されるべきリソースであり、より小さいものは低減されるべきリソースである。
【００２６】
任意選択で、アップリンクリソースは、アップリンク帯域幅リソースであってもよく、
ダウンリンクリソースは、ダウンリンク帯域幅リソースであってもよい。
【００２７】
本実施形態では、基地局は、統計を通じて、端末のサービスに必要とされる、アップリンクリソースおよびダウンリンクリソースを取得することができる。端末のサービスに必要とされる、アップリンクリソースおよびダウンリンクリソースの統計は、予め設定された時間間隔の間の、端末のサービスに必要とされる、アップリンクリソースおよびダウンリンクリソースの統計であってもよい。例えば、１ヶ月間の、端末のサービスに必要とされる、アップリンク帯域幅リソースおよびダウンリンク帯域幅リソースの統計が収集され、アップリンク帯域幅リソースおよびダウンリンク帯域幅リソースが比較されてどの要件がより大きいかを判定する。もちろん、実際の用途において、基地局は、別のエンティティによって収集された統計を使用することによって、端末のサービスに必要とされる、アップリンクリソースおよびダウンリンクリソースをさらに取得することができる。
【００２８】
ステップ１０２：低減されるべきリソースの一部を拡大されるべきリソースに加える。
【００２９】
具体的には、端末のサービスに必要とされるアップリンクリソースが、端末のサービスに必要とされるダウンリンクリソースを上回る場合、拡大されるべきリソースはアップリンクリソースであり、低減されるべきリソースはダウンリンクリソースであり、端末のサービスに必要とされるダウンリンクリソースが、端末のサービスに必要とされるアップリンクリソースを上回る場合、拡大されるべきリソースはダウンリンクリソースであり、低減されるべきリソースはアップリンクリソースである。好ましくは、低減されるべきリソースの一部は、統計によって収集された、端末のサービスに必要とされるアップリンクリソースの、端末のサービスに必要とされるダウンリンクリソースに対する比率に従って、
拡大されるべきリソースに加えられることができる。例えば、端末のサービスに必要とされるアップリンクリソースが、端末のサービスに必要とされるダウンリンクリソースを上回る場合、ダウンリンクリソースの一部は、統計によって収集された、端末のサービスに必要とされるアップリンクリソースの、端末のサービスに必要とされるダウンリンクリソースに対する比率に従って、アップリンクリソースとして再割当てされ、端末のサービスに必要とされるダウンリンクリソースが、端末のサービスに必要とされるアップリンクリソースを上回る場合、アップリンク帯域幅の一部は、統計によって収集された、端末のサービスに必要とされるアップリンクリソースの、端末のサービスに必要とされるダウンリンクリソースに対する比率に従って、ダウンリンクリソースとして再割当てされる。
【００３０】
処理されるべきサービスに必要とされるアップリンクリソースが、処理されるべきサービスに必要とされるダウンリンクリソースに等しいとき、現在のリソースは、アップリンクリソースもダウンリンクリソースも無駄にされていないので、調整される必要はないことが知られ得る。
【００３１】
ステップ１０３：リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００３２】
基地局は、対応するリソース構成メッセージを、調整されるアップリンクリソースおよびダウンリンクリソースに従って生成し、対応するリソース構成メッセージを端末に配信する。端末は、調整されるアップリンクリソースおよびダウンリンクリソースを、リソース構成メッセージに従って取得し、サービス伝送を、調整されるアップリンクリソースおよびダウンリンクリソースに従って実行する。
【００３３】
本実施形態のリソース割当て方法に従って、第１に、端末のサービスに必要とされる、アップリンクリソースおよびダウンリンクリソースの統計が収集され、必要とされるアップリンクリソースが、必要とされるダウンリンクリソースを上回るとき、ダウンリンクリソースの一部は、アップリンクリソースとして再割当てされ、または必要とされるダウンリンクリソースが、必要とされるアップリンクリソースを上回るとき、アップリンクリソースの一部は、ダウンリンクリソースとして再割当てされ、また調整されるリソースに関する情報は、端末に送信され、その結果、端末は、サービス伝送を、調整されるリソースに関する情報に従って実行し、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００３４】
実施形態２
本実施形態は、実施形態１に基づくリソース割当て方法を提供する。
【００３５】
ステップ２０１：端末のサービスに必要とされる、アップリンクリソースおよびダウンリンクリソースを取得し、そこでは、必要とされるアップリンクリソースおよび必要とされるダウンリンクリソースにおいて、より大きいものは拡大されるべきリソースであり、より小さいものは低減されるべきリソースである。
【００３６】
任意選択で、アップリンクリソースは、アップリンク帯域幅リソースであってもよく、
ダウンリンクリソースは、ダウンリンク帯域幅リソースであってもよい。
【００３７】
このステップの具体的な内容は、ステップ１０１のそれと同じであり、ここで再び説明されることはない。
【００３８】
ステップ２０２：端末のサービスに必要とされるアップリンクリソースの、端末のサービスに必要とされるダウンリンクリソースに対する比率に従って、低減されるべきリソースの一部を拡大されるべきリソースに加える。
【００３９】
割当ての前、低減されるべきリソースと拡大されるべきリソースの両方は、Ｓである。
必要とされる低減されるべきリソースの、必要とされる拡大されるべきリソースに対する比率がＰ：ＱであってＰ＜Ｑであるとき、低減されるべきリソースにおける［（Ｑ−Ｐ）／（Ｑ＋Ｐ）］×Ｓが、拡大されるべきリソースに加えられる。
【００４０】
例えば、アップリンク帯域幅リソースが５Ｍであり、ダウンリンク帯域幅リソースが５Ｍであり、必要とされるアップリンク帯域幅リソースの、必要とされるダウンリンク帯域幅リソースに対する比率が２：３であるとき、アップリンク帯域幅リソースの１Ｍ帯域幅リソースは、ダウンリンク帯域幅リソースとして再割当てされることができ、またこのように、調整されるアップリンク帯域幅リソースの、調整されるダウンリンク帯域幅リソースに対する比率は、２：３である。
【００４１】
低減されるべきリソースの帯域幅リソースの一部を拡大されるべきリソースに加えることは具体的には、
低減されるべきリソースの周波数帯域リソースの一部を拡大されるべきリソースに加えること、または
低減されるべきリソースのタイムスロットリソースの一部を拡大されるべきリソースに加えることを含む。
【００４２】
周波数帯域は、信号が伝送され得る最高周波数から、信号が伝送され得る最低周波数までの周波数範囲であり、また周波数帯域は、複数の周波数スペクトルを含んでもよい。好ましくは、低減されるべき帯域幅の縁部の周波数帯域リソースが、拡大されるべきリソースに加えられる。理由は、従来のワイヤレス通信システムでは、受信機／送信機によって受信または送信される周波数帯域は、中心周波数および帯域幅を使用することによって判定されるからである。低減されるべき帯域幅の中心周波数帯域リソースが、拡大されるべき帯域幅リソースに加えられる場合、元の低減されるべき帯域幅リソースが、２つのセグメントに分けられることがあり、この場合、２つの受信機／伝送機が必要とされる。しかし、低減されるべき帯域幅の縁部に近接する周波数帯域リソースが、拡大されるべきリソースに加えられる場合、そうした問題は回避される。低減されるべき帯域幅リソースの縁部に近接する１つの周波数スペクトルは、拡大されるべきリソースに加えられることができ、または２つの周波数スペクトルは、再割当てされることができ、また周波数スペクトルの数は、実際のニーズに従って設定され得ることに留意されたい。
【００４３】
基地局が、端末のサービスに必要とされるアップリンクリソースが、端末のサービスに必要とされるダウンリンクリソースを上回ると判定するとき、元はダウンリンクリソースとして使用されたダウンリンク周波数帯域リソースの一部が、アップリンクリソースとして再割当てされ、そこでは、ダウンリンク周波数帯域リソースの一部は、第２のアップリンクリソースと呼ばれ、元のアップリンク周波数帯域リソースは、第１のアップリンク周波数帯域リソースとして使用される。図２Ａは、ダウンリンク周波数帯域リソースの２つの縁部に近接する周波数帯域リソースをアップリンク周波数帯域として使用することの概略図を示す。
【００４４】
同様に、基地局が、処理されるべきサービスに必要とされるダウンリンク帯域幅リソースが、処理されるべきサービスに必要とされるアップリンク帯域幅リソースを上回ると判定するとき、アップリンク帯域幅リソースのアップリンク周波数帯域リソースの一部が、ダウンリンク帯域幅リソースとして再割当てされ、そこでは、ダウンリンク周波数帯域リソースの一部は、第２のダウンリンク帯域幅リソースと呼ばれ、元のダウンリンク周波数帯域は、第１のダウンリンク周波数帯域である。図２Ｂは、アップリンク周波数帯域の２つの縁部に近接する周波数帯域リソースをダウンリンク周波数帯域として再割当てし、使用することの概略図を示す。タイムスロットリソースは、実際に物理層で占有される周波数リソースを表現したものである。第１に、帯域幅全体が、様々な周波数帯域に区分され、次いで、様々なタイムスロットリソースが、同じ周波数帯域上でユーザに割り当てられ、各ユーザによって占有されるタイムスロットリソースはチャネルである。
【００４５】
基地局が、必要とされるアップリンク帯域幅リソースが、必要とされるダウンリンク帯域幅リソースを上回ると判定するとき、元はダウンリンク帯域幅リソースとして使用されたダウンリンクタイムスロットリソースの一部が、アップリンクタイムスロットリソースとして使用され、そこでは、ダウンリンクタイムスロットリソースの一部が、第２のアップリンク帯域幅リソースと呼ばれ、元のアップリンク帯域幅リソースは、第１のアップリンク帯域幅リソースとして使用される。図３Ｂは、ダウンリンク周波数帯域のダウンリンクタイムスロットリソースの一部をアップリンクタイムスロットリソースとして使用することの概略図を示す。同様に、基地局が、必要とされるダウンリンク帯域幅リソースが、必要とされるアップリンク帯域幅リソースを上回ると判定するとき、元はアップリンク帯域幅リソースとして使用されたアップリンクタイムスロットリソースの一部が、ダウンリンクタイムスロット帯域幅リソースとして使用され、アップリンクタイムスロットリソースの一部が、第２のダウンリンク帯域幅リソースと呼ばれ、元のダウンリンク帯域幅リソースは、第１のダウンリンク帯域幅リソースと呼ばれる。図３Ａは、アップリンク帯域幅リソースのアップリンクタイムスロットリソースの一部をダウンリンクタイムスロットリソースとして使用することの概略図を示す。
【００４６】
ステップ２０３：リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００４７】
基地局は、ブロードキャストメッセージを使用することによって、端末にリソース構成メッセージを通知することができ、リソース構成メッセージは具体的には、第１のアップリンク周波数帯域または第１のダウンリンク周波数帯域の帯域幅、第１の周波数帯域の中心周波数、対応する第２のアップリンク周波数帯域または第２のダウンリンク周波数帯域の帯域幅、および第２の周波数帯域の中心周波数を含むことができる。
【００４８】
必要とされるアップリンク帯域幅リソースが、必要とされるダウンリンク帯域幅リソースを上回る場合、基地局は、ダウンリンク周波数帯域のＰＤＣＣＨ（物理ダウンリンク制御チャネル、Ｐｈｙｓｉｃａｌ  Ｄｏｗｎｌｉｎｋ  Ｃｏｎｔｒｏｌ  Ｃｈａｎｎｅｌ）を通じて、端末向けのリソース構成メッセージを端末に送信する。リソース構成メッセージを受信した後、端末は、第１のアップリンク帯域幅のみを使用することによって、アップリンク制御信号を基地局に送信する。基地局は、ダウンリンク周波数帯域を使用することによって、リソース構成メッセージを送信し、またアップリンクスケジューリング情報は、ＲＢ（リソースブロック、Ｒｅｓｏｕｒｃｅ  Ｂｌｏｃｋ）の数、ＲＢ位置、ＭＣＳ（変調符号化方式、Ｍｏｄｕｌａｔｉｏｎ  ａｎｄ  Ｃｏｄｉｎｇ  Ｓｃｈｅｍｅ）順序、およびアップリンク周波数帯域情報を含む。端末は、アップリンクスケジューリング情報に従って、データ伝送を、指定された周波数帯域上で、指定されたＲＢ位置で、また指定されたＭＣＳ順序で実行する。必要とされるダウンリンク帯域幅リソースが、必要とされるアップリンク帯域幅リソースを上回る場合、基地局は、第１のダウンリンク周波数帯域上で、リソース構成メッセージを端末に送信し、また基地局は、第１のダウンリンク周波数帯域のみを使用することによって、アップリンクスケジューリング情報を配信し、アップリンクスケジューリング情報は、ＲＢの数、ＲＢ位置、ＭＣＳ順序、およびアップリンク周波数帯域情報を含む。基地局がデータサービスをスケジュール設定するとき、制御信号は、第１のダウンリンク周波数帯域のＰＤＤＣＨを通じて、配信されることができ、または第２のダウンリンク周波数帯域のＰＤＤＣＨを通じて、配信されることができる。
【００４９】
本実施形態のリソース割当て方法に従って、必要とされるアップリンクリソースが、必要とされるダウンリンクリソースを上回るとき、ダウンリンクリソースの周波数帯域リソースの一部は、アップリンクリソースとして再割当てされ、または必要とされるダウンリンクリソースが、必要とされるアップリンクリソースを上回るとき、アップリンク帯域幅の周波数帯域リソースの一部は、ダウンリンクリソースとして再割当てされ、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００５０】
実施形態３
本実施形態は、リソース割当て装置を提供し、それは、実施形態１におけるリソース割当て方法を実施するように構成されている。装置が適用できるネットワークアーキテクチャは、前述の実施形態におけるそれと同じであり、ここで再び説明されることはない。リソース割当て装置は、基地局に統合されてもよい。
【００５１】
図４は、本実施形態におけるリソース割当て装置の概略構造図を示す。リソース割当て装置は、統計モジュール３０１、割当てモジュール３０２、および配信モジュール３０３を含む。
【００５２】
統計モジュール３０１は、端末のサービスに必要とされる、アップリンクリソースおよびダウンリンクリソースを取得し、そこでは、必要とされるアップリンクリソースおよび必要とされるダウンリンクリソースにおいて、より大きいものは拡大されるべきリソースであり、より小さいものは低減されるべきリソースであるように構成され、割当てモジュール３０２は、統計モジュール３０１に接続されており、低減されるべきリソースの一部を拡大されるべきリソースに加えるように構成され、また配信モジュール３０３は、割当てモジュール３０２に接続されており、リソース構成メッセージを端末に配信することであって、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する、配信することを行うように構成される。
【００５３】
本実施形態におけるリソース割当て装置の動作方法は、実施形態１におけるそれと一致しており、ここで再び説明されることはない。
【００５４】
本実施形態のリソース割当て装置に従って、第１に、統計モジュール３０１が、端末のサービスに必要とされる、アップリンクリソースおよびダウンリンクリソースを取得し、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決する。
【００５５】
実施形態４
本実施形態は、実施形態３に基づくリソース割当て装置を提供する。
【００５６】
本実施形態におけるリソース割当て装置の構造は、前述の実施形態におけるそれと同じであり、また統計モジュール３０１、割当てモジュール３０２、および配信モジュール３０３も含む。
【００５７】
本実施形態の割当てモジュール３０２は具体的には、端末のサービスに必要とされるアップリンクリソースの、端末のサービスに必要とされるダウンリンクリソースに対する取得される比率に従って、低減されるべきリソースの一部を拡大されるべきリソースに加えるように構成される。より具体的には、割当てモジュール３０２は、低減されるべきリソースの周波数帯域リソースの一部を拡大されるべき帯域幅リソースに加える、または低減されるべきリソースのタイムスロットリソースの一部を拡大されるべきリソースに加えるように構成される。割当てモジュール３０２が、低減されるべきリソースの周波数帯域リソースの一部を拡大されるべきリソースに加えるように構成されるとき、割当てモジュール３０２は具体的には、低減されるべきリソースの縁部に近接する周波数帯域リソースを拡大されるべきリソースに加えるように構成される。理由は前述の実施形態におけるそれと同じであり、ここで再び説明されることはない。
【００５８】
任意選択で、配信モジュール３０３は具体的には、低減されるべき帯域幅がアップリンクリソースであり、拡大されるべきリソースがダウンリンクリソースである場合、アップリンクリソースの残りの部分に関してリソース構成メッセージを端末に送信し、その結果、端末は、サービス伝送を、調整されるアップリンクリソースおよびダウンリンクリソースに従って実行し、アップリンクリソースの残りの部分は、ダウンリンクリソースに加えられる部分を除く、アップリンクリソースにおけるリソースであるように構成される。配信モジュール３０３は、低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００５９】
本実施形態のリソース割当て装置に従って、必要とされるアップリンクリソースが、必要とされるダウンリンクリソースを上回るとき、ダウンリンクリソースの周波数帯域リソースの一部は、アップリンクリソースとして再割当てされ、または必要とされるダウンリンクリソースが、必要とされるアップリンクリソースを上回るとき、アップリンク帯域幅の周波数帯域リソースの一部は、ダウンリンクリソースとして再割当てされ、それによって、従来のワイヤレス通信システムにおいて必要とされるアップリンクリソースと必要とされるダウンリンクリソースとの不均衡によって引き起こされる、アップリンクリソースまたはダウンリンクリソースの浪費の問題を解決する。
【００６０】
実施形態５
本実施形態は、基地局を提供し、そこでは、基地局は、前述の実施形態のいずれか１つのリソース割当て装置を含む。
【００６１】
本実施形態の基地局は、少なくとも１つのプロセッサおよびメモリを含み、そこでは、メモリは、実行可能なプログラムコードを格納するように構成され、プロセッサは、メモリに格納された実行可能なプログラムコードを読み込むことによって、実行可能なプログラムコードに対応するプログラムを走らせ、その結果、  端末のサービスに必要とされる、アップリンクリソースおよびダウンリンクリソースを取得し、そこでは、必要とされるアップリンクリソースおよび必要とされるダウンリンクリソースにおいて、より大きいものは拡大されるべきリソースであり、より小さいものは低減されるべきリソースであり、
低減されるべきリソースの一部を拡大されるべきリソースに加え、また
リソース構成メッセージを端末に配信し、リソース構成メッセージは、調整されるアップリンクリソースおよびダウンリンクリソースに関する情報を含み、その結果、端末は、サービス伝送を、調整されるアップリンクリソースおよびダウンリンクリソースに従って実行する。
【００６２】
低減されるべきリソースの一部を拡大されるべきリソースに加えることは具体的には、
低減されるべきリソースの周波数帯域リソースの一部を拡大されるべきリソースに加えること、または
低減されるべきリソースのタイムスロットリソースの一部を拡大されるべきリソースに加えることであり得る。
【００６３】
任意選択で、プロセッサが、低減されるべきリソースの周波数帯域リソースの一部を拡大されるべきリソースに加えるという動作を実施するとき、低減されるべきリソースの縁部に近接する周波数帯域リソースは、拡大されるべきリソースに加えられることができる。
【００６４】
任意選択で、本実施形態のプロセッサが、低減されるべきリソースの一部を拡大されるべきリソースに加えるという動作を実施するとき、プロセッサは具体的には、端末のサービスに必要とされるアップリンクリソースの、端末のサービスに必要とされるダウンリンクリソースに対する比率に従って、低減されるべきリソースの一部を拡大されるべきリソースに加えるように構成される。詳細は、次のとおりであり得る。低減されるべきリソースと拡大されるべきリソースの両方が、Ｓであり、必要とされる低減されるべきリソースの、必要とされる拡大されるべきリソースに対する比率がＰ：ＱでありそのときＰ＜Ｑである場合、低減されるべきリソースにおける［（Ｑ−Ｐ）／（Ｑ＋Ｐ）］×Ｓが、拡大されるべきリソースに加えられる。
【００６５】
任意選択で、プロセッサによって実施される、リソース構成メッセージを端末に配信するという動作は具体的には、低減されるべきリソースがアップリンクリソースであり、拡大されるべきリソースがダウンリンクリソースである場合、アップリンクリソースの残りの部分に関してリソース構成メッセージを端末に送信し、アップリンクリソースの残りの部分は、ダウンリンクリソースに加えられる部分を除く、アップリンクリソースにおけるリソースであることを含み得る。
【００６６】
任意選択で、本実施形態のプロセッサは、
低減されるべきリソースがダウンリンクリソースであり、拡大されるべきリソースがアップリンクリソースである場合、ダウンリンクリソースの残りの部分に関してアップリンクスケジューリング信号を端末に配信し、ダウンリンクリソースの残りの部分は、アップリンクリソースに加えられる部分を除く、ダウンリンクリソースにおけるリソースであるようにさらに構成される。
【００６７】
本実施形態の基地局に従って、第１に、端末のサービスに必要とされる、アップリンクリソースおよびダウンリンクリソースが取得され、必要とされるアップリンクリソースが、必要とされるダウンリンクリソースを上回る場合、ダウンリンクリソースの一部は、アップリンクリソースとして使用され、または必要とされるダウンリンクリソースが、必要とされるアップリンクリソースを上回る場合、アップリンクリソースの一部は、ダウンリンクリソースとして使用され、また調整されるリソースに関する情報は、端末に送信され、その結果、端末は、サービス伝送を、調整されるリソースに従って実行し、それによって、従来のワイヤレス通信システムにおいて必要とされるアップリンクリソースと必要とされるダウンリンクリソースとの不均衡によって引き起こされる、リソースの浪費の問題を解決する。
【００６８】
方法の実施形態のステップのすべてまたは一部は、関連するハードウェアに命令するプログラムよって実装され得ることを当業者なら理解するであろう。プログラムは、コンピュータ可読記憶媒体に格納されることができる。プログラムが走るとき、方法の実施形態のステップが実行される。前述の記憶媒体は、ＲＯＭ、ＲＡＭ、磁気ディスク、光ディスクなどのプログラムコードを格納することができる任意の媒体を含む。
【００６９】
最後に、前述の実施形態は、単に本発明の技術的な解決策を説明するためのものであり、本発明を限定するためのものではないことに留意されたい。本発明は前述の実施形態を参照しながら詳述されているが、依然として、本発明の実施形態の技術的な解決策の範囲から逸脱することなく、前述の実施形態で説明された技術的な解決策に修正を加える、またはそれらの技術的な機能のいくつかに同等な置換えを加えることができることを当業者なら理解するであろう。
【手続補正２】
【補正対象書類名】特許請求の範囲
【補正対象項目名】全文
【補正方法】変更
【補正の内容】
【特許請求の範囲】
【請求項１】
端末のサービスに必要とされる、アップリンクリソースおよびダウンリンクリソースを取得するステップであって、前記必要とされるアップリンクリソースおよび前記必要とされるダウンリンクリソースにおいて、より大きいものは拡大されるべきリソースであり、より小さいものは低減されるべきリソースである、ステップと、
前記低減されるべきリソースの一部を前記拡大されるべきリソースに加えるステップと、
リソース構成メッセージを前記端末に配信するステップであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、ステップとを含むことを特徴とするリソース割当て方法。
【請求項２】
前記低減されるべきリソースの一部を前記拡大されるべきリソースに加える前記ステップは、
前記低減されるべきリソースの周波数帯域リソースの一部を前記拡大されるべきリソースに加えるステップ、または
前記低減されるべきリソースのタイムスロットリソースの一部を前記拡大されるべきリソースに加えるステップ
を含むことを特徴とする請求項１に記載のリソース割当て方法。
【請求項３】
前記低減されるべきリソースの周波数帯域リソースの一部を前記拡大されるべきリソースに加える前記ステップは、
前記低減されるべきリソースの縁部に近接する周波数帯域リソースを前記拡大されるべきリソースに加えるステップ
を含むことを特徴とする請求項２に記載のリソース割当て方法。
【請求項４】
前記低減されるべきリソースの一部を前記拡大されるべきリソースに加える前記ステップは、
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加えるステップ
を含むことを特徴とする請求項１に記載のリソース割当て方法。
【請求項５】
前記端末の前記サービスに必要とされる前記アップリンクリソースの、前記端末の前記サービスに必要とされる前記ダウンリンクリソースに対する比率に従って、前記低減されるべきリソースの一部を前記拡大されるべきリソースに加える前記ステップは、
前記低減されるべきリソースと前記拡大されるべきリソースの両方が、Ｓであり、前記必要とされる低減されるべきリソースの、前記必要とされる拡大されるべきリソースに対する比率がＰ：ＱでありそのときＰ＜Ｑである場合、前記低減されるべきリソースにおける［（Ｑ−Ｐ）／（Ｑ＋Ｐ）］×Ｓを、前記拡大されるべきリソースに加えるステップ
を含むことを特徴とする請求項１に記載のリソース割当て方法。
【請求項６】
前記リソース構成メッセージを前記端末に配信する前記ステップは、
前記低減されるべきリソースがアップリンクリソースであり、前記拡大されるべきリソースがダウンリンクリソースである場合、前記アップリンクリソースの残りの部分に関して前記リソース構成メッセージを前記端末に送信するステップであって、前記アップリンクリソースの前記残りの部分は、前記ダウンリンクリソースに加えられる前記部分を除く、前記アップリンクリソースにおけるリソースである、ステップ
を含むことを特徴とする請求項１乃至５のいずれか一項に記載のリソース割当て方法。
【請求項７】
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信するステップであって、前記ダウンリンクリソースの前記残りの部分は、前記アップリンクリソースに加えられる前記部分を除く、前記ダウンリンクリソースにおけるリソースである、ステップ
をさらに含むことを特徴とする請求項１に記載のリソース割当て方法。
【請求項８】
端末のサービスに必要とされる、アップリンクリソースおよびダウンリンクリソースを取得するように構成された統計モジュールであって、前記必要とされるアップリンクリソースおよび前記必要とされるダウンリンクリソースにおいて、より大きいものは拡大されるべきリソースであり、より小さいものは低減されるべきリソースである、統計モジュールと、
前記低減されるべきリソースの一部を前記拡大されるべきリソースに加えるように構成された割当てモジュールと、
リソース構成メッセージを前記端末に配信するように構成された配信モジュールであって、前記リソース構成メッセージは、調整されるアップリンクリソースおよびダウンリンクリソースに関する情報を含み、その結果、前記端末は、サービス伝送を、前記調整されるアップリンクリソースおよびダウンリンクリソースに従って実行する、配信モジュールと
を含むことを特徴とするリソース割当て装置。
【請求項９】
前記割当てモジュールは具体的には、
前記低減されるべきリソースの周波数帯域リソースの一部を前記拡大されるべき帯域幅リソースに加える、または
前記低減されるべきリソースのタイムスロットリソースの一部を前記拡大されるべきリソースに加える
ように構成されることを特徴とする請求項８に記載のリソース割当て装置。
【請求項１０】
前記配信モジュールは具体的には、
前記低減されるべきリソースがアップリンクリソースであり、前記拡大されるべきリソースがダウンリンクリソースである場合、前記アップリンクリソースの残りの部分に関して前記リソース構成メッセージを前記端末に送信することであって、その結果、前記端末は、サービス伝送を、前記調整されるアップリンクリソースおよびダウンリンクリソースに従って実行し、前記アップリンクリソースの前記残りの部分は、前記ダウンリンクリソースに加えられる前記部分を除く、前記アップリンクリソースにおけるリソースである、
送信することを行うように構成されることを特徴とする請求項８に記載のリソース割当て装置。
【請求項１１】
前記配信モジュールは、
前記低減されるべきリソースがダウンリンクリソースであり、前記拡大されるべきリソースがアップリンクリソースである場合、前記ダウンリンクリソースの残りの部分に関してアップリンクスケジューリング信号を前記端末に配信することであって、前記ダウンリンクリソースの前記残りの部分は、前記アップリンクリソースに加えられる前記部分を除く、前記ダウンリンクリソースにおけるリソースである、配信することを行うようにさらに構成されることを特徴とする請求項８に記載のリソース割当て装置。
【請求項１２】
前記割当てモジュールは具体的には、
前記端末の前記サービスに必要とされる前記アップリンクリソースの、前記端末の前記サービスに必要とされる前記ダウンリンクリソースに対する比率に従って、前記低減されるべきリソースの帯域幅リソースの一部を前記拡大されるべきリソースに加えるように構成されることを特徴とする請求項８に記載のリソース割当て装置。
【国際調査報告】
2015534792.tif 000009
2015534792.tif 000010
2015534792.tif 000011
2015534792.tif 000012
2015534792.tif 000013
2015534792.tif 000014